(57)【要約】【課題】野球又はソフトボール打撃練習を一人で出来る無動力ボールトス具を提案する。【解決手段】務動力ボールトス具は主にボールプール１、ボールパスパイプ６、シューター８と支柱９１、複数の腕９２、基台９３からなるスタンドに支持し構成されされていてボールプール１、ボールパスパイプ６に付帯されている回転羽根Ａ３１、回転羽根Ｂ３２、プーリー４１、プーリー４２、ベルト７及び大きな歯車１２１、小さな歯車１２２及とディスクローター１３１、ブレーキパット付調節ネジ１３２がそれぞれボールを一球ずつボールプール１からボールパスパイプ６に送る機能を発揮しシューター８からボールが打撃練習者の前方へ放出される。それぞれ最初に輪のある紐又はスットパーピン１１を抜き、ボールの停止状態を解除する手動操作を除き自動かつ周期的に本発明の最大目的である動力源の無い環境のグランドにおいて一人無動力で打撃練習を果たすことで解決した。【選択図】  図１
2007215632.tif 000002
【特許請求の範囲】
【請求項１】
上方にはボールの載る大きさの樋状で下方へ螺旋状で緩やかに傾斜したボールプール（１）があって、このボールプール（１）の下端近く底部には長方形の溝穴Ａ（２１）を開口させ、その溝穴Ａ（２１）の下には複数の羽根を有する回転羽根Ａ（３１）が有り、その回転羽根Ａ（３１）が回転するとき、羽根が溝穴Ａ（２１）からボールプール（１）の空間に入り、その羽根はボールがほぼ半分触れる長さになっており、上記回転羽根Ａ（３１）の同軸部にプーリーＡ（４１）を付帯し、この回転羽根Ａ（３１）の軸をブラケットＡ（５１）で溝穴Ａ（２１）の両側に固定し、ボールプール（１）の下端には内径がボールの直径よりやや大きめのボールパスパイプ（６）と接続しており、その接続部の構造はボールパスパイプ（６）先端口の一方を半円状に切り欠き、ボールプール（１）の下端がこの切り欠きに接合した構造になっており、そのボールパスパイプ（６）は下方へ螺旋状に急傾斜しており、ボールパスパイプ（６）のほぼ中間の上側には長方形の溝穴Ｂ（２２）を開口させ、その溝穴Ｂ（２２）の下には複数の羽根を有する回転羽根Ｂ（３２）が有り、その回転羽根Ｂ（３２）が回転するとき、羽根が溝穴Ｂ（２２）からボールパスパイプ（６）の空間に入り、その羽根はボールがほぼ半分触れる長さになっており、上記回転羽根Ｂ（３２）の同軸部にプーリーＢ（４２）を付帯し、この回転羽根Ｂ（３２）の軸をブラケットＢ（５２）で溝穴Ｂ（２２）の両側に固定し、上記プーリーＡ（４１）とプーリーＢ（４２）間にはエンドレスのベルト（７）を架け、ボールパスパイプ（６）下端にはボールプール（１）と同形状の樋状からなるシューター（８）を延接し、このシューター（８）は緩やかな傾斜から下方側はほぼ水平かつ直線状になっており、上記ボールプール（１）、ボールパスパイプ（６）、シューター（８）を支柱（９１）、複数の腕（９２）、基台（９３）からなるスタンドに支持させて構成したことを特徴とする請求項１記載の野球又はソフトボール等の打撃練習用無動力ボールトス具。
【請求項２】
ボールプール（１）の溝穴Ａ（２１）上方、上部両側に小さな小穴（１０）を開口させ、その小穴（１０）に先端からボールプール（１）の幅よりやや長い部分が直線で後側が１／４円形棒状の端に細長い紐を接続したストッパーピン（１１）のピンを差し込み、上記回転羽根Ａ（３１）の同軸部にはプーリーＡ（４１）及びベルト（７）に替えて大きな歯車（１２１）を取り付け、その大きな歯車（１２１）と噛合う小さな歯車（１２２）を補助ブラケット(５３)で支持させ付帯して構成したことを特徴とする請求項１記載の野球又はソフトボール等の打撃練習用無動力ボールトス具。
【請求項３】
回転羽根Ａ（３１）の同軸部には更に大きな歯車（１２１）及び小さな歯車（１２２）に替えて円盤状のディスクローター（１３１）とブレーキパット付調節ネジ（１３２）を付帯して構成したことを特徴とする請求項１記載の野球又はソフトボール等の打撃練習用無動力ボールトス具。
【発明の詳細な説明】
【技術分野】
【０００１】
本発明は動力源の無い環境のグランド等で野球及びソフトボール等の打撃練習でボールトスを行う際、相手が居なくても一人無動力で打撃練習のできる無動力ボールトス具に関するものである。
【背景技術】
【０００２】
特開２００１−２８６５９６公報トスバッテング式の野球の打撃練習機では打撃練習者が一球毎に足でペダルを踏む操作でボールを放出する打撃練習機を提案されているが、自動かつ周期的にボールが放出されるものではない。
【特許文献１】特開２００１−２８６５９６号公報
【発明の開示】
【発明が解決しようとする課題】
【０００３】
本発明は上記課題を解決するために発明されたものである。
【課題を解決するための手段】
【０００４】
請求項１記載の無動力ボールトス具(以下本発明１と言う)は上方にはボールの載る大きさの樋状で下方へ螺旋状で緩やかに傾斜したボールプール１があって、このボールプール１の下端近く底部には長方形の溝穴Ａ２１を開口させ、その溝穴Ａ２１の下には複数の羽根を有する回転羽根Ａ３１が有り、その回転羽根Ａ３１が回転するとき、羽根が溝穴Ａ２１からボールプール１の空間に入り、その羽根はボールがほぼ半分触れる長さになっており、上記回転羽根３１の同軸部にプーリーＡ４１を付帯し、この回転羽根Ａ３１の軸をブラケットＡ５１で溝穴Ａ２１の両側に固定し、ボールプール１の下端には内径がボールの直径よりやや大きめのボールパスパイプ６と接続しており、その接続部の構造はボールパスパイプ６先端口の一方を半円状に切り欠き、ボールプール１の下端がこの切り欠きに接合した構造になっており、そのボールパスパイプ６は下方へ螺旋状に急傾斜しており、ボールパスパイプ６のほぼ中間の上側には長方形の溝穴Ｂ２２を開口させ、その溝穴Ｂ２２の下には複数の羽根を有する回転羽根Ｂ３２が有り、その回転羽根Ｂ３２が回転するとき、羽根が溝穴Ｂ２２からボールパスパイプ６の空間に入り、その羽根はボールがほぼ半分触れる長さになっており、上記回転羽根Ｂ３２の同軸部にプーリーＢ４２を付帯し、この回転羽根Ｂ３２の軸をブラケットＢ５２で溝穴Ｂ２２の両側に固定し、上記プーリーＡ４１とプーリーＢ４２間にはエンドレスのベルト７を架け、ボールパスパイプ６下端にはボールプール１と同形状の樋状からなるシューター８を延接し、このシューター８は緩やかな傾斜から下方側はほぼ水平かつ直線状になっており、上記ボールプール１、ボールパスパイプ６、シューター８を支柱９１、複数の腕９２、基台９３からなるスタンドに支持させて構成したことを特徴とする。
【０００５】
請求項２記載の無動力ボールトス具（以下本発明２という）はボールプール１の溝穴Ａ２１上方、上部両側に小さな小穴１０を開口させ、その小穴１０に先端からボールプール１の幅よりやや長い部分が直線で後側が１／４円形棒状の端に細長い紐を接続したストッパーピン１１のピンを差し込み、上記回転羽根Ａ３１の同軸部にはプーリーＡ４１及びベルト７に替えて大きな歯車１２１を取り付け、その大きな歯車１２１と噛合う小さな歯車１２２を補助ブラケット５３で支持させ付帯して構成したことを特徴とする。
【０００６】
請求項３記載の無動力ボールトス具（以下本発明３という）は回転羽根Ａ３１の同軸部には更に大きな歯車１２１及び小さな歯車１２２に替えて円盤状のディスクローター１３１とブレーキパット付調節ネジ１３２を付帯して構成したことを特徴とする。
【０００７】
本発明１の無動力ボールトス具はボールプール１に並べたボールを最初にボールパスパイプ６へ送る機構として、プーリーＡ４１とプーリーＢ４２に架けられたベルト７の張りでボールプール１の上にあるボールは停止状態にある。その停止状態を解除する為に回転羽根Ａ３１の羽根の内一枚に輪のある紐を引っ掛け、その紐を引っ張る操作を行うことで停止状態が解除され、ボールがボールプール１からボールパスパイプ６に落下し途中の回転羽根Ｂ３２にボ―ルが触れると羽根が一枚分回転し、回転羽根Ｂ３２付帯のプーリーＢ４２からベルト７を介してプーリーＡ４１に連動し回転羽根Ａ３１が回転する。回転羽根Ａ３１が回転することで次のボールが一球分ボールプール１からボールパスパイプ６に落下し、以後同じ動きが繰り返され周期的にボールが一球ずつボールプール１からボールパスパイプ６に送られる。
【０００８】
本発明２及び３はボールプール１に並べたボールが重力と傾斜で下方に転がることを防ぐ為ボールプール１の溝穴Ａ２１上方、上部両側の小穴１０にストッパーピン１１を差し込んでおき、ストッパーピン１１の紐を引っ張ると小穴１０からストッパーピン１１が抜けて停止状態が解除され、ボールは回転羽根Ａ３１に当たり回転し転がるが、回転羽根Ａ３１付帯の大きな歯車１２１と小さな歯車１２２及びディスクローター１３１及びブレーキパット付調節ネジ１３２の機能が回転羽根Ａ３１の回転に減速を与えることでボールが一球ずつ間隔をあけてボールプール１からボールパスパイプ６に落下し、以後同じ動きが繰り返され周期的にボールが一球ずつボールパイプ１からボールパスパイプ６に送られる。
【０００９】
本発明１のボールプール１及びシューター８はボールが通過する際、底部の抵抗を小さくする為に長手方向へ幅が細く、縦に低い突起状のリブを複数等間隔に配するものでもよい。
【００１０】
本発明１のボールプール１及びシューター８は断面が半円状で複数の細長い線を螺旋状に緩やかな傾斜で等間隔に配し、その内側の垂直方向に細長い複数の線を等間隔に配し双方の接点を接合した面が格子模様で樋状のものでもよい。
【００１１】
本発明１のボールパスパイプ６はリング状の細長い線を螺旋状に急傾斜で等間隔に配し、その内側の垂直方向に細長い線を複数、等間隔に配し双方の接点を接合した面が格子模様でパイプ状のものでもよい。
【００１２】
本発明１のボールプール１、ボールパスパイプ６、シューター８と、これらを搭載する支柱９１、複数の腕９２、基台９３からなるスタンドは持ち運びを簡便にするため複数に分割できる組み立て方式でもよい。
【００１３】
本発明１のスタンド支柱９１の下部にはシューター８の位置が幅のある高さに調節できるアジャスターを付帯させたものでもよい。
【００１４】
本発明１の回転羽根Ａ３１及び回転羽根Ｂ３２の複数の羽根は３枚ないし４枚でもよい。
【００１５】
本発明１のボールプール１、ボールパスパイプ６、シューター８及び回転羽根Ａ３１、回
転羽根Ｂ３２等はそれぞれの部品寸法を改変することで他の球技での練習用ボール
トス具としてでもよい。
【発明の効果】
【００１６】
本発明の効果として本発明１を用いれば打撃練習者がボールを複数個ボールプール１に並べ、回転羽根Ａ３１の羽根の内一枚に先に輪のある細長い紐を引っ掛けシューター８の出口前方の少し離れたところに立ち打撃練習の準備をする。次に打撃練習者が上記の細長い紐を引っ張ると、回転羽根Ａ３１の羽根一枚分が回転する。回転羽根Ａ３１が回転するとボールプール１のボールが停止状態から解除され、ボールがその重みと傾斜で一球分ボールプール１から転がりボールパスパイプ６に落下して急傾斜で加速しながら途中の回転羽根Ｂ３２に触れてシューター８から外部に放出される。上記回転羽根Ｂ３２に触れたボールは回転羽根Ｂ３２付帯のプーリーＢ４２からベルト７を介して回転羽根Ａ３１付帯のプーリーＡ４１に連動し、上記回転羽根Ａ３１を回転させて次のボールが一球分ボールプール１を転がりボールパスパイプ６に落下し、回転羽根Ｂ３２に触れてシューター８から外部に放出される。ボールプール１に並べたボールは一球毎に周期的に同じ動きを繰り返しながらボールパスパイプ６を通りシューター８から放出されボールプール１のボールが空になるまで、最初に細長い紐を引っ張る操作を除き自動かつ一人無動力で打撃練習を果たすことができた。
【００１７】
本発明の効果として本発明２（以下本発明２という）を用いれば更に打撃練習者がボールプール１の溝穴Ａ２１上方、上部両側の小穴１０に差し込まれたストッパーピン１１に接続した細長い紐を引っ張り、ストッパーピン１１を抜くとボールは停止状態が解除されボールの重みと傾斜で回転羽根Ａ３１に転がり羽根が回転し、ボールプール１からボールパスパイプ６に落下しシューター８から外部に放出される。上記ボールはその重みで回転羽根Ａ３１の羽根が回転するが回転羽根Ａ３１に付帯している大きな歯車１３１と噛合った小さな歯車１３２の抵抗と、それぞれの歯車の口径の違いで回転に減速を与え、ボールパスパイプ６に落下しシューター８から外部に放出されボールプール１のボールが空になるまで、最初に輪のある細長い紐を引っ張る操作を除き自動かつ一人無動力で打撃練習を果たすことができた。
【００１８】
本発明の効果として本発明３（以下本発明３という）を用いれば更に本発明２のボールプール１の回転羽根Ａ３１に付帯している大きな歯車１３１と小さな歯車１３２に替えてディスクローター１４１にブレーキパット付調節ネジ１４２を接触させ、ネジで接触部分を調節してディスクローター１４１にブレーキ操作を加えることで回転羽根３１の回転に減速を与え、ボールの重みとバランスを取ることによりボールはボールパスパイプ６に落下しシューター８から外部に一球ずつ周期的に放出することで、最初にストッパー用ピン１１を抜く操作を除き自動かつ一人無動力で打撃練習を果たすことができた。
【発明を実施するための最良の形態】
【００１９】
以下本発明の実施例について図面を用いて説明する。
【実施例１】
【００２０】
図１は、本発明１のボールプール１にボールパスパイプ６を接合し、ボールパスパイプ６にシューター８を延接して、ボールプール１とボールパスパイプ６のそれぞれの回転羽根Ａ３１，回転羽根Ｂ３２に付帯したプーリーＡ４１、プーリーＢ４２をブラケットＡ５１、ブラケットＢ５２で溝穴Ａ２１，溝穴Ｂ２２の両側に固定し、プーリーＡ４１、プーリーＢ４２間にベルト７を架け支柱９１、複数の腕９２、基台９３からなるスタンドに支持させ、回転羽根Ａ３１の内一枚の羽根の先に輪のある紐を架け引っ張ることによって一人無動力で  
打撃練習ができるボールトス具全体の実施例を示した斜視図である。
【実施例２】
【００２１】
図２は、本発明１のボールプール１の下方に開口させた溝穴Ａ２１に回転羽根Ａ３１の内一枚の羽根がボールプール１の空間に入り、上記回転羽根Ａ３１付帯のプーリーＡ４１をブラケットＡ５１で溝穴Ａ２１の下に固定し、プーリーＡ４１にベルト７を架けた実施例を示した部分斜視図である。
【実施例３】
【００２２】
図３は、本発明１のボールパスパイプ６の中間の上側に開口させた溝穴Ｂ２２に回転羽根Ａ３２の内一枚の羽根がボールパスパイプ６の空間に入り、上記回転羽根Ｂ３２付帯のプーリーＢ４２をブラケットＢ５２で溝穴Ｂ２２の下に固定し、プーリーＡ４２にベルト７を架けた実施例を示した部分斜視図である。
【実施例４】
【００２３】
図４は、本発明２のボールプール１の溝穴Ａ２１上方の上部両側の小穴１１に差し込んだストッパー用ピン１１及び回転羽根Ａ３１の軸部に付帯している大きな歯車１２１と小さな歯車１２２の実施例を示した部分断面図である。
【実施例５】
【００２４】
図５、は本発明３の回転羽根Ａ３１の軸部に付帯しているディスクローター１４１とブレーキパット付調節ネジ１４２の実施例を示した部分断面図である。
【産業上の利用可能性】
【００２５】
本発明は動力源の無い環境のグランドで野球又はソフトボールの練習を一人でする際、無動力で打撃練習のできる無動力ボールトス具を利用しての便宜が向上する。
【図面の簡単な説明】
【００２６】
【図１】無動力ボールトス具の実施方法を示した説明図である（実施例１）
【図２】無動力ボールトス具の実施方法を示した説明図である（実施例２）
【図３】無動力ボールトス具の実施方法を示した説明図である（実施例３）
【図４】無動力ボールトス具の実施方法を示した説明図である（実施例４）
【図５】無動力ボールトス具の実施方法を示した説明図である（実施例５）
【符号の説明】
【００２７】
１  ボールプール
２１  溝穴Ａ
２２  溝穴Ｂ
３１  回転羽根Ａ
３２  回転羽根Ｂ  
４１  プーリーＡ
４２  プーリーＢ 
５１  ブラケットＡ
５２  ブラッケトＢ
５３  補助ブラケット 
６  ボールパスパイプ
７  ベルト
８  シューター  
９１  柱
９２  複数の腕
９３  基台
１０  小穴
１１  ストッパー用ピン
１２１  大きな歯車
１２２  小さな歯車
１３１  ディスクローター
１３２  ブレーキパット付調節ネジ  
【図１】
2007215632.tif 000003
【図２】
2007215632.tif 000004
【図３】
2007215632.tif 000005
【図４】
2007215632.tif 000006
【図５】
2007215632.tif 000007